(57)【要約】  水を含む対象液を、濃縮された前記対象液である濃縮液と、希釈された前記対象液である希釈液と、に分離する膜分離装置であって、半透膜と、前記半透膜で仕切られた第１室および第２室と、を有し、前記対象液の一部を所定の圧力で前記第１室に流し、前記対象液の他の一部を前記所定の圧力よりも低い圧力で前記第２室に流すことで、前記第１室内の前記対象液に含まれる水を前記半透膜を介して前記第２室内の前記対象液に移行させ、前記第１室から前記濃縮液を排出し、前記第２室から前記希釈液を排出する、半透膜モジュールと、前記濃縮液のエネルギーである第１エネルギーを回収する、第１エネルギー回収装置と、を備える、膜分離装置。
2020027056.tif 000002
【特許請求の範囲】
【請求項１】
水を含む対象液を、濃縮された前記対象液である濃縮液と、希釈された前記対象液である希釈液と、に分離する膜分離装置であって、
半透膜と、前記半透膜で仕切られた第１室および第２室と、を有し、前記対象液の一部を所定の圧力で前記第１室に流し、前記対象液の他の一部を前記所定の圧力よりも低い圧力で前記第２室に流すことで、前記第１室内の前記対象液に含まれる水を前記半透膜を介して前記第２室内の前記対象液に移行させ、前記第１室から前記濃縮液を排出し、前記第２室から前記希釈液を排出する、半透膜モジュールと、
前記濃縮液のエネルギーである第１エネルギーを回収する、第１エネルギー回収装置と、
を備える、膜分離装置。
【請求項２】
前記第１エネルギーは、前記対象液に伝達され、前記対象液が昇圧される、請求項１に記載の膜分離装置。
【請求項３】
前記膜分離装置は、圧力低下装置をさらに備え、
前記所定の圧力を有する前記対象液の他の一部が、前記圧力低下装置を通過することによって、前記所定の圧力より低い圧力で前記第２室に流される、請求項１または２に記載の膜分離装置。
【請求項４】
原液から淡水を生産する造水システムであって、
前記原液を所定の圧力に昇圧して逆浸透モジュールに供給する高圧ポンプと、
前記所定の圧力に昇圧された前記原液から逆浸透膜を介して前記淡水を分離および回収し、濃縮された前記原液である濃縮原液を排出する、前記逆浸透モジュールと、
請求項１または２に記載の膜分離装置と、を備え、
前記膜分離装置に供される前記対象液は、前記濃縮原液である、造水システム。
【請求項５】
前記第１エネルギーは、前記原液に伝達され、前記原液が昇圧される、請求項４に記載の造水システム。
【請求項６】
前記膜分離装置は、圧力低下装置をさらに備え、
前記所定の圧力を有する前記対象液の他の一部が、前記圧力低下装置を通過することによって、前記所定の圧力より低い圧力で前記第２室に流される、請求項４または５に記載の造水システム。
【請求項７】
前記圧力低下装置において、前記所定の圧力を有する前記対象液のエネルギーである第２エネルギーが回収される、請求項６に記載の造水システム。
【請求項８】
前記第２エネルギーは、前記原液に伝達され、前記原液が昇圧される、請求項７に記載の造水システム。
【請求項９】
水を含む対象液を、濃縮された前記対象液である濃縮液と、希釈された前記対象液である希釈液と、に分離する膜分離方法であって、
半透膜と、前記半透膜で仕切られた第１室および第２室と、を有する半透膜モジュールに対して、前記対象液の一部を所定の圧力で前記第１室に流し、前記対象液の他の一部を前記所定の圧力よりも低い圧力で前記第２室に流すことで、前記第１室内の前記対象液に含まれる水を前記半透膜を介して前記第２室内の前記対象液に移行させ、前記第１室から前記濃縮液を排出し、前記第２室から前記希釈液を排出する、膜分離工程と、
前記濃縮液のエネルギーである第１エネルギーを回収する、第１エネルギー回収工程と、
を備える、膜分離方法。
【請求項１０】
原液から淡水を生産する造水方法であって、
前記原液を所定の圧力に昇圧して逆浸透モジュールに供給する昇圧工程と、
前記逆浸透モジュールを用いて、前記所定の圧力に昇圧された前記原液から逆浸透膜を介して前記淡水を分離および回収し、濃縮された前記原液である濃縮原液を排出する、逆浸透工程と、
請求項９に記載の膜分離方法と、を備え、
前記膜分離方法に供される前記対象液は、前記濃縮原液である、造水方法。
【請求項１１】
水を含む第１対象液から濃縮された前記第１対象液である濃縮液を得ると共に、第２対象液から希釈された前記第２対象液である希釈液を得る、膜分離装置であって、
半透膜と、前記半透膜で仕切られた第１室および第２室と、を有し、前記第１対象液を所定の圧力で前記第１室に流し、前記第２対象液を前記所定の圧力よりも低い圧力で前記第２室に流すことで、前記第１室内の前記第１対象液に含まれる水を前記半透膜を介して前記第２室内の前記第２対象液に移行させ、前記第１室から前記濃縮液を排出し、前記第２室から前記希釈液を排出する、半透膜モジュールと、
前記濃縮液のエネルギーである第１エネルギーを回収する、第１エネルギー回収装置と、
を備える、膜分離装置。
【請求項１２】
前記第１エネルギーは、前記第１対象液に伝達され、前記第１対象液が昇圧される、請求項１１に記載の膜分離装置。
【発明の詳細な説明】
【技術分野】
【０００１】
本発明は、膜分離装置、造水システム、膜分離方法および造水方法に関する。
【背景技術】
【０００２】
海水から淡水を生産する造水システムは、高圧ポンプによって浸透圧より高い所定の圧力に昇圧された海水を逆浸透（ＲＯ：Reverse  Osmosis）モジュールに供給し、ＲＯ膜を通過させることで、海水中の塩分等を除去して淡水を取り出すシステムである。残りの海水は、濃縮塩水（ブライン）としてＲＯモジュールから排出される。【０００３】
このＲＯモジュールから排出される濃縮塩水も高圧であり、高い圧力エネルギーを有している。このため、近年では、高圧の濃縮塩水が有する圧力エネルギーを各種のエネルギー回収装置（Energy  Recovery  Device。以下、「ＥＲＤ」と略す場合がある）で回収し、回収したエネルギーを海水の加圧に利用することで、高圧ポンプ等の消費電力（消費動力）を削減している。このようなＥＲＤは、例えば、特許文献１（特開２００４−８１９１３号公報）、特許文献２（特開平１−１２３６０５号公報）などに開示されている。【０００４】
一方、図１を参照して、ＲＯ法を用いた淡水化処理に必要なエネルギーを低下させること等を目的として、半透膜モジュール１の第１室１１に対象液の一部を流し、第２室１２に対象液の他の一部を流して、第１室１１を加圧することで、第１室１１内の対象液に含まれる水を半透膜１０を介して第２室１２内の対象液に移行させ、第２室１２から希釈された対象液（希釈液）を排出する膜分離方法（ブラインコンセントレーション）が検討されている（特許文献３：特開２０１８−１１１１号公報参照）。
【先行技術文献】
【特許文献】
【０００５】
【特許文献１】特開２００４−８１９１３号公報
【特許文献２】特開平１−１２３６０５号公報
【特許文献３】特開２０１８−１１１１号公報
【発明の概要】
【発明が解決しようとする課題】
【０００６】
しかしながら、上記のブラインコンセントレーション（以下、「ＢＣ」と略す場合がある）を用いる場合において、第１室１１内から排出される対象液の圧力と、第１室１１に供給される対象液の圧力（例えば、６〜８ＭＰａ程度）との差は、例えば５０ｋＰａ以下であり、第１室１１内から排出される対象液も高い圧力エネルギーを有しているため、このエネルギーが無駄になっていた。このため、さらにエネルギーを削減する余地があった。【０００７】
したがって、本発明は、ブラインコンセントレーションを用いる場合において、さらに必要なエネルギーを削減し、エネルギー効率を高めることのできる、膜分離装置、造水システム、膜分離方法および造水方法を提供することを目的とする。
【課題を解決するための手段】
【０００８】
（１）  水を含む対象液を、濃縮された前記対象液である濃縮液と、希釈された前記対象液である希釈液と、に分離する膜分離装置であって、
半透膜と、前記半透膜で仕切られた第１室および第２室と、を有し、前記対象液の一部を所定の圧力で前記第１室に流し、前記対象液の他の一部を前記所定の圧力よりも低い圧力で前記第２室に流すことで、前記第１室内の前記対象液に含まれる水を前記半透膜を介して前記第２室内の前記対象液に移行させ、前記第１室から前記濃縮液を排出し、前記第２室から前記希釈液を排出する、半透膜モジュールと、
前記濃縮液のエネルギーである第１エネルギーを回収する、第１エネルギー回収装置と、
を備える、膜分離装置。【０００９】
（２）  前記第１エネルギーは、前記対象液に伝達され、前記対象液が昇圧される、（１）に記載の膜分離装置。【００１０】
（３）  前記膜分離装置は、圧力低下装置をさらに備え、
前記所定の圧力を有する前記対象液の他の一部が、前記圧力低下装置を通過することによって、前記所定の圧力より低い圧力で前記第２室に流される、（１）または（２）に記載の膜分離装置。【００１１】
（４）  原液から淡水を生産する造水システムであって、
前記原液を所定の圧力に昇圧して逆浸透モジュールに供給する高圧ポンプと、
前記所定の圧力に昇圧された前記原液から逆浸透膜を介して前記淡水を分離および回収し、濃縮された前記原液である濃縮原液を排出する、前記逆浸透モジュールと、
（１）または（２）に記載の膜分離装置と、を備え、
前記膜分離装置に供される前記対象液は、前記濃縮原液である、造水システム。【００１２】
（５）  前記第１エネルギーは、前記原液に伝達され、前記原液が昇圧される、（４）に記載の造水システム。【００１３】
（６）  前記膜分離装置は、圧力低下装置をさらに備え、
前記所定の圧力を有する前記対象液の他の一部が、前記圧力低下装置を通過することによって、前記所定の圧力より低い圧力で前記第２室に流される、（４）または（５）に記載の造水システム。【００１４】
（７）  前記圧力低下装置において、前記所定の圧力を有する前記対象液のエネルギーである第２エネルギーが回収される、（６）に記載の造水システム。【００１５】
（８）  前記第２エネルギーは、前記原液に伝達され、前記原液が昇圧される、（７）に記載の造水システム。【００１６】
（９）  水を含む対象液を、濃縮された前記対象液である濃縮液と、希釈された前記対象液である希釈液と、に分離する膜分離方法であって、
半透膜と、前記半透膜で仕切られた第１室および第２室と、を有する半透膜モジュールに対して、前記対象液の一部を所定の圧力で前記第１室に流し、前記対象液の他の一部を前記所定の圧力よりも低い圧力で前記第２室に流すことで、前記第１室内の前記対象液に含まれる水を前記半透膜を介して前記第２室内の前記対象液に移行させ、前記第１室から前記濃縮液を排出し、前記第２室から前記希釈液を排出する、膜分離工程と、
前記濃縮液のエネルギーである第１エネルギーを回収する、第１エネルギー回収工程と、
を備える、膜分離方法。【００１７】
（１０）  原液から淡水を生産する造水方法であって、
前記原液を所定の圧力に昇圧して逆浸透モジュールに供給する昇圧工程と、
前記逆浸透モジュールを用いて、前記所定の圧力に昇圧された前記原液から逆浸透膜を介して前記淡水を分離および回収し、濃縮された前記原液である濃縮原液を排出する、逆浸透工程と、
（９）に記載の膜分離方法と、を備え、
前記膜分離方法に供される前記対象液は、前記濃縮原液である、造水方法。【００１８】
（１１）  水を含む第１対象液から濃縮された前記第１対象液である濃縮液を得ると共に、第２対象液から希釈された前記第２対象液である希釈液を得る、膜分離装置であって、
半透膜と、前記半透膜で仕切られた第１室および第２室と、を有し、前記第１対象液を所定の圧力で前記第１室に流し、前記第２対象液を前記所定の圧力よりも低い圧力で前記第２室に流すことで、前記第１室内の前記第１対象液に含まれる水を前記半透膜を介して前記第２室内の前記第２対象液に移行させ、前記第１室から前記濃縮液を排出し、前記第２室から前記希釈液を排出する、半透膜モジュールと、
前記濃縮液のエネルギーである第１エネルギーを回収する、第１エネルギー回収装置と、
を備える、膜分離装置。【００１９】
（１２）  前記第１エネルギーは、前記第１対象液に伝達され、前記第１対象液が昇圧される、（１１）に記載の膜分離装置。
【発明の効果】
【００２０】
本発明によれば、ブラインコンセントレーションを用いる場合において、さらに必要なエネルギーを削減し、エネルギー効率を高めることのできる、膜分離装置、造水システム、膜分離方法および造水方法を提供することが可能となる。
【図面の簡単な説明】
【００２１】
【図１】従来の膜分離装置を示す模式図である。
【図２】実施形態１の膜分離装置を示す模式図である。
【図３】実施形態１の膜分離装置の変形例を示す模式図である。
【図４】従来の造水システムを示す模式図である。
【図５】実施形態２の造水システムを示す模式図である。
【図６】実施形態３の造水システムを示す模式図である。
【図７】実施形態４の造水システムを示す模式図である。
【図８】実施形態５の造水システムを示す模式図である。
【図９】実施形態６の造水システムを示す模式図である。
【発明を実施するための形態】
【００２２】
以下、本発明の実施形態について、図面を参照して説明する。なお、図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。なお、図１〜図９において、各流路を示す線の太さの違いは流れる液の圧力の違いを示し、線が太い方が圧力が高いことを示している。
【００２３】
＜膜分離装置＞
以下、本発明の造水システムの実施形態について説明する。
【００２４】
〔実施形態１〕
図２は、実施形態１の膜分離装置を示す模式図である。
【００２５】
本実施形態の膜分離装置は、水を含む対象液を、濃縮された対象液である濃縮液と、希釈された対象液である希釈液と、に分離する膜分離装置である。
【００２６】
図２を参照して、本実施形態の膜分離装置は、半透膜モジュール１と、第１エネルギー回収装置と、を備える。
【００２７】
半透膜モジュール１は、半透膜１０と、半透膜１０で仕切られた第１室１１および第２室１２と、を有する。
【００２８】
半透膜モジュール１において、対象液の一部を所定の圧力で第１室１１に流し、対象液の他の一部を所定の圧力よりも低い圧力で第２室１２に流すことで、第１室１１内の対象液に含まれる水を半透膜１０を介して第２室１２内の対象液に移行させ、第１室１１から濃縮液を排出し、第２室１２から希釈液を排出する。
【００２９】
ここで、半透膜モジュール１の第１室１１と第２室１２とに流入する対象液は、同じ液であるため、基本的に等しい浸透圧を有する。このため、ＲＯ法のように、対象液（高浸透圧液）と淡水との間の高い浸透圧差に逆らって逆浸透を起こさせるための高い圧力が必要なく、比較的低圧の加圧によって、対象液の膜分離を実施することができる（一部の対象液を希釈し、他の一部の対象液を濃縮することができる）。
【００３０】
ただし、第１室１１に流される対象液と第２室１２に流される対象液との間で濃度が異なる場合でも、その浸透圧差（絶対値）が第１室１１に供給される対象液の圧力よりも小さければ、理論上、膜分離工程は実施可能である。好ましくは、第１室１１（加圧側）に流入する塩水の浸透圧と第２室１２に供給される対象液の浸透圧との差は、第１室１１に供給される対象液の所定の圧力の３０％以下である。
【００３１】
なお、膜分離装置は、図１に示されるように１つの半透膜モジュール１を用いた１段の装置であってもよいが、複数の半透膜モジュールを用いた多段の装置であってもよい。膜分離工程において、半透膜１０の両側の希釈塩水と第１ブラインとの浸透圧差を、半透膜モジュール１の第１室１１に供給される液の圧力以上にすることはできないため、１段の工程（１つの半透膜モジュール）による塩水の希釈率には限界がある。このため、淡水化処理工程に供される希釈塩水をより低濃度にして、淡水化処理工程に必要な圧力をさらに低下させること等を目的として、膜分離工程を２段以上の工程としてもよい。
【００３２】
半透膜としては、例えば、逆浸透膜（ＲＯ膜：Reverse  Osmosis  Membrane）、正浸透膜（ＦＯ膜：Forward  Osmosis  Membrane）、ナノろ過膜（ＮＦ膜：Nanofiltration  Membrane）、限外ろ過膜（ＵＦ膜：Ultrafiltration  Membrane）と呼ばれる半透膜が挙げられる。半透膜は、好ましくは逆浸透膜または正浸透膜、ナノろ過膜である。なお、半透膜として逆浸透膜または正浸透膜、ナノろ過膜を用いる場合、第１室１１に供給される対象液の圧力は好ましくは６〜８ＭＰａである。
【００３３】
通常、ＲＯ膜およびＦＯ膜の孔径は約２ｎｍ以下であり、ＵＦ膜の孔径は約２〜１００ｎｍである。ＮＦ膜は、ＲＯ膜のうちイオンや塩類の阻止率が比較的低いものであり、通常、ＮＦ膜の孔径は約１〜２ｎｍである。半透膜としてＲＯ膜またはＦＯ膜、ＮＦ膜を用いる場合、ＲＯ膜またはＦＯ膜、ＮＦ膜の塩除去率は好ましくは９０％以上である。
【００３４】
半透膜を構成する材料としては、特に限定されないが、例えば、セルロース系樹脂、ポリスルホン系樹脂、ポリアミド系樹脂などが挙げられる。半透膜は、セルロース系樹脂およびポリスルホン系樹脂の少なくともいずれかを含む材料から構成されることが好ましい。
【００３５】
セルロース系樹脂は、好ましくは酢酸セルロース系樹脂である。酢酸セルロース系樹脂は、殺菌剤である塩素に対する耐性があり、微生物の増殖を抑制できる特徴を有している。酢酸セルロース系樹脂は、好ましくは酢酸セルロースであり、耐久性の点から、より好ましくは三酢酸セルロースである。
【００３６】
ポリスルホン系樹脂は、好ましくはポリエーテルスルホン系樹脂である。ポリエーテルスルホン系樹脂は、好ましくはスルホン化ポリエーテルスルホンである。
【００３７】
半透膜（および後述する逆浸透膜）の形状としては、特に限定されないが、例えば、平膜、スパイラル膜または中空糸膜が挙げられる。なお、図２では、半透膜１０として平膜を簡略化して描いているが、特にこのような形状に限定されるものではない。なお、中空糸膜（中空糸型半透膜）は、スパイラル型半透膜などに比べて、モジュール当たりの膜面積を大きくすることができ、浸透効率を高めることができる点で有利である。
【００３８】
また、半透膜モジュール（および後述する逆浸透モジュール）の形態としては、特に限定されないが、中空糸膜を用いる場合は、中空糸膜をストレート配置した軸流型モジュールや、中空糸膜を芯管に巻きつけたクロスワインド型モジュールなどが挙げられる。平膜を用いる場合は、平膜を積み重ねた積層型モジュールや、平膜を封筒状として芯管に巻きつけたスパイラル型モジュールなどが挙げられる。
【００３９】
具体的な中空糸膜の一例としては、全体がセルロース系樹脂から構成されている単層構造の膜が挙げられる。ただし、ここでいう単層構造とは、層全体が均一な膜である必要はなく、例えば、特開２０１２−１１５８３５号公報に開示されるように、外周表面近傍に緻密層を有し、この緻密層が実質的に中空糸膜の孔径を規定する分離活性層となっていることが好ましい。
【００４０】
具体的な中空糸膜の別の例としては、支持層（例えば、ポリフェニレンオキサイドからなる層）の外周表面にポリフェニレン系樹脂（例えば、スルホン化ポリエーテルスルホン）からなる緻密層を有する２層構造の膜が挙げられる。また、他の例として、支持層（例えば、ポリスルホンまたはポリエーテルスルホンからなる層）の外周表面にポリアミド系樹脂からなる緻密層を有する２層構造の膜が挙げられる。
【００４１】
なお、中空糸膜を用いた半透膜モジュールにおいて、通常は、中空糸膜の外側が第１室となる。中空糸膜の内側（中空部）を流れる流体を加圧しても、圧力損失が大きくなり加圧が十分に働き難いためである。
【００４２】
本明細書において、「対象液」とは、水を含む液体であれば特に限定されず、溶液および懸濁液のいずれであってもよい。対象液としては、例えば、海水、河川水、汽水、排水などが挙げられる。排水としては、例えば、工業排水、生活排水、油田またはガス田の排水などが挙げられる。
【００４３】
また、本実施形態の膜分離装置が後述する造水システムに用いられる場合、膜分離装置に供給される対象液は、逆浸透工程で排出される濃縮原液であってもよい。
【００４４】
なお、対象液は、対象液中に含まれる微粒子、微生物等を除去するための前処理が施されたものであってもよい。前処理としては、海水淡水化技術に用いられる種々公知の前処理を実施することができ、例えば、ＮＦ膜、ＵＦ膜、ＭＦ膜等を用いたろ過、次亜塩素酸ナトリウムの添加、凝集剤添加などが挙げられる。
【００４５】
（第１エネルギー回収装置）
第１エネルギー回収装置は、濃縮液のエネルギーである第１エネルギーを回収する。
【００４６】
図２（ａ）〜（ｃ）には、３種類のＥＲＤを用いた膜分離装置が示されている。
本実施形態において、第１エネルギー回収装置（第１ＥＲＤ）としては、例えば、タービン等を用いて電気としてエネルギーを回収する電気式のＥＲＤ、または、濃縮液から機械的にエネルギーを回収する機械式のＥＲＤが挙げられる。電気式のＥＲＤよりもエネルギー変換ロスの小さい機械式のＥＲＤを用いた方が、消費電力の削減効果が大きい。
【００４７】
機械式のＥＲＤとしては、ターボチャージャー、または、高圧ポンプの駆動軸と同軸上に結合された水車を用いて、濃縮液の圧力エネルギーを動力として回収する動力伝達式のＥＲＤが知られている。また、機械式のＥＲＤの別の例として、圧力変換装置（Pressure  Exchanger：ＰＸ）などの濃縮液の圧力を直接回収する圧力伝達式のＥＲＤを用いることもできる。
【００４８】
図２（ａ）に示される膜分離装置において、第１ＥＲＤは、圧力変換装置（ＰＸ）５（圧力伝達式のＥＲＤ）である。機械式のＥＲＤの一種である圧力伝達式のＥＲＤは、一般に動力伝達式のＥＲＤよりも変換ロスが小さくエネルギー回収効率に優れている。
【００４９】
なお、図２（ａ）に示されるように、半透膜モジュール１から排出された濃縮液の圧力を圧力伝達式のＥＲＤで対象液に伝達する場合、通常は、高圧ポンプ３１を通過する流路とは別の流路を設け、その流路の対象液を圧力伝達式のＥＲＤで昇圧する。そして、圧力伝達式のＥＲＤで昇圧された対象液は、さらにブースターポンプ３２を用いて高圧ポンプ３１から排出された対象液と同じ圧力まで昇圧されてから、高圧ポンプ３１を通過する流路に供給されている。
【００５０】
図２（ｂ）に示される膜分離装置において、第１ＥＲＤは、ターボチャージャー６（動力伝達式のＥＲＤ）である。なお、ターボチャージャー６は、タービン６ａ，６ｂを含む。濃縮液をターボチャージャー６の一方側（濃縮液側）のタービン６ａへ送ることで、他方側（対象液側）のタービン６ｂによって、濃縮液から対象液へ動力としてエネルギーを伝達することができる。
【００５１】
なお、ターボチャージャー６のタービン６ｂは高圧ポンプ３１の下流側に配置されている。このような配置構成を採用したのは、高圧ポンプ３１の上流側に動力（圧力）を伝達し、高圧ポンプ３１の吸い込み側を高圧にすると、汎用の高圧ポンプを採用することが困難になり、上流側の耐圧性能の高い特別なポンプを用いる必要があり、設備コストが増大するからである。
【００５２】
図２（ｃ）に示される膜分離装置において、第１ＥＲＤは、高圧ポンプ３１の駆動軸と同軸上に結合された水車７（動力伝達式のＥＲＤ）である。濃縮液を水車７へ送ることで、高圧ポンプ３１によって、濃縮液から対象液へ動力としてエネルギーを伝達することができる。
【００５３】
水車７としては、緩衝水車および反動水車のいずれも用いることができるが、流量調整運転が容易である点で、緩衝水車を用いることが好ましい。例えば、緩衝水車としてペルトン水車を用いた場合、ＥＲＤに要求される出力の変化に応じて、水車に濃縮液等を噴射するためのノズルの開度を変更することで、濃縮液等の流量を調整することができる。
【００５４】
緩衝水車としては、ペルトン水車以外にも、例えば、ターゴインパルス水車、クロスフロー水車を用いてもよい。これらの中でも、回収効率やメンテナンスの容易性の観点から、ペルトン水車を用いることが好ましい。
【００５５】
なお、高圧ポンプ３１と水車７との間にクラッチを設けてもよい。これにより、造水システムを始動してから定常状態に至る初期状態において、クラッチを切ることで、初期状態においても水車７が高圧ポンプ３１の負荷とならないようにすることができる。
【００５６】
図２（ｂ）および図２（ｃ）に示されるような動力伝達式のＥＲＤは、電気式のＥＲＤよりもエネルギー回収効率が高く、また、圧力伝達式のＥＲＤよりＥＲＤ自体のエネルギー回収効率は低いものの、圧力伝達式のＥＲＤのようにブースターポンプ等が必要ないといった利点がある。なお、一般に、ターボチャージャーは、高圧ポンプの駆動軸と同軸上に結合された水車などに比べて、処理可能な流量範囲が広いため、大量処理に適しているという利点がある。
【００５７】
ただし、機械式のＥＲＤは、特に造水システムの始動時や停止時の操作も考慮すると、システム全体の設計が難しい。これに対して、電気式のＥＲＤは、発電した電気を高圧ポンプ３１等へ配線を介して供給すればよいため、設計の自由度が高い。
【００５８】
本実施形態において、濃縮液のエネルギー（第１エネルギー）は、対象液に伝達され、対象液が昇圧される。すなわち、第１エネルギー回収装置は、濃縮液から回収した第１エネルギーを半透膜モジュール１の第１室１１に供給される対象液に伝達する。
【００５９】
半透膜モジュール１から排出される濃縮液の圧力は、高圧ポンプ３１によって昇圧された所定の圧力よりは低くなるものの、高い圧力エネルギーを有している。濃縮液のエネルギー（第１エネルギー）を第１ＥＲＤで回収して、濃縮液から対象液へとエネルギーを伝達する（対象液を昇圧させる）ことで、濃縮液の高い圧力エネルギーを利用して、高圧ポンプ３１の消費動力を低減させることが可能となる。
【００６０】
（圧力低下装置）
本実施形態において、膜分離装置は、圧力低下装置をさらに備える。所定の圧力を有する対象液の他の一部が、圧力低下装置を通過することによって、所定の圧力より低い圧力で第２室１２に流される。
【００６１】
圧力低下装置としては、例えば、所定の圧力に昇圧された対象液を半透膜モジュール１の第１室１１と第２室１２とに分けて流すことのできる分流弁４などが挙げられる。ここで、分流弁４（圧力低下装置）は、第２室１２に流される対象液を所定の圧力より低い圧力に減圧する機能を有している。
【００６２】
このような圧力低下装置を用いることで、例えば、該圧力低下装置の上流側の対象液の流路が１本で済むという利点がある。
【００６３】
なお、高圧ポンプ３１の上流側には、図示しない前処理装置を備えていてもよい。前処理装置は、ポンプ３０で取水した原液を砂濾過やＵＦ膜（Ultrafiltration：限外ろ過膜）、ＭＦ膜（Microfiltration：精密ろ過膜）、カートリッジフィルターなどによって処理する装置である。前処理装置により、原液から濁質を除去し、半透膜モジュール１等に適合する水質の原液を得ることができる。必要により、ｐＨの調整手段や塩素添加装置などを付け加えることも可能である。
【００６４】
〔実施形態１の変形例〕
図３は、実施形態１の膜分離装置の変形例を示す模式図である。図３に示される膜分離装置は、第１室１１と第２室１２との各々に対象液が独立して供給される点で、図２に示される膜分離装置とは異なる。それ以外の点は、図２に示される膜分離装置と同様である。
【００６５】
すなわち、本変形例は、水を含む第１対象液から濃縮された第１対象液である濃縮液を得ると共に、第２対象液から希釈された第２対象液である希釈液を得る、膜分離装置である。第１対象液を所定の圧力で第１室に流し、第２対象液を所定の圧力よりも低い圧力で第２室に流すことで、第１室内の第１対象液に含まれる水を半透膜を介して第２室内の第２対象液に移行させ、第１室から濃縮液を排出し、第２室から希釈液を排出する。
【００６６】
第１室１１に供給される対象液（第１対象液）と、第２室１２に供給される対象液（第２対象液）とは、同じ液であってもよく、異なる液であってもよい。なお、上述のとおり、第１室１１に流される対象液（第１対象液）と第２室１２に流される対象液（第２対象液）との間で濃度（浸透圧）が異なる場合でも、膜分離工程は実施可能である。
【００６７】
なお、本変形例において、第１エネルギーは、第１対象液に伝達され、第１対象液が昇圧される。
【００６８】
＜膜分離方法＞
本発明は、水を含む対象液を、濃縮された対象液である濃縮液と、希釈された対象液である希釈液と、に分離する膜分離方法にも関する。
【００６９】
本実施形態の膜分離方法は、少なくとも膜分離工程と第１エネルギー回収工程とを備える。
【００７０】
膜分離工程では、半透膜１０と、半透膜１０で仕切られた第１室１１および第２室１２と、を有する半透膜モジュール１に対して、対象液の一部を所定の圧力で第１室１１に流し、対象液の他の一部を所定の圧力よりも低い圧力で第２室１２に流すことで、第１室１１内の対象液に含まれる水を半透膜１０を介して第２室１２内の対象液に移行させ、第１室１１から濃縮液を排出し、第２室１２から希釈液を排出する。
【００７１】
第１エネルギー回収工程では、濃縮液のエネルギーである第１エネルギーを回収する。
＜造水システム＞
以下、本発明の造水システムの実施形態について説明する。
【００７２】
〔実施形態２〕
図５は、実施形態２の造水システムを示す模式図である。
【００７３】
本実施形態の造水システムは、原液から淡水を生産するためのシステムである。
図５を参照して、本実施形態の造水システムは、高圧ポンプ３１と、逆浸透（ＲＯ）モジュール２と、上記の膜分離装置と、を備える。高圧ポンプ３１は、原液を所定の圧力に昇圧してＲＯモジュール２に供給する。ＲＯモジュール２は、所定の圧力に昇圧された原液から逆浸透（ＲＯ）膜を介して淡水を分離および回収し、濃縮された原液である濃縮原液を排出する。
【００７４】
本実施形態において、上記の膜分離装置に供される対象液は、この濃縮原液である。すなわち、ＲＯモジュール２（第１室２１）の下流に上記の膜分離装置が接続されている。
【００７５】
実施形態１と同様に、本実施形態でも、第１エネルギー回収装置によって、濃縮液のエネルギーである第１エネルギーが回収される。ただし、本実施形態では、実施形態１と異なり、回収された第１エネルギーは、原液に伝達され、原液が昇圧される。
【００７６】
本明細書において、「原液」とは、ＲＯモジュール２に供給される水を含む液体であれば特に限定されず、溶液および懸濁液のいずれであってもよい。原液としては、対象液と同様に、例えば、海水、河川水、汽水、排水などが挙げられる。
【００７７】
（高圧ポンプ）
本実施形態の造水システムでは、まず、原液（海水など）をポンプ３０ａにより高圧ポンプ３１に供給する。そして、高圧ポンプ３１は、原液を所定の圧力（例えば、６〜８ＭＰａ）に昇圧して、ＲＯモジュール２へ供給する。
【００７８】
高圧ポンプは、周波数変換装置（インバータ）を有するインバータ方式のポンプであることが好ましい。この場合、造水システムを始動した直後から定常状態に至るまでの初期状態において高圧ポンプを低速（低流量）で駆動し、徐々に定常状態になるまで流量を増加させることが可能となる。
【００７９】
（逆浸透モジュール）
逆浸透（ＲＯ）モジュール２は、高圧ポンプ３１によって所定の圧力に昇圧された原液から逆浸透（ＲＯ）膜を介して淡水を分離および回収し、濃縮された原液である濃縮原液を排出する。こうしてＲＯモジュール２のＲＯ膜を透過した淡水を得ることができる。分離された淡水は、必要により次の精製工程等に送られて生産水となる。ＲＯモジュール２から排出される濃縮原液（対象液）は、高い圧力を有しているため、その圧力によって半透膜モジュール１（膜分離装置）へ送られる。
【００８０】
（膜分離装置）
図５（ａ）〜図５（ｃ）に示される造水システムは、上記の膜分離装置を備える。膜分離装置は第１ＥＲＤおよび圧力低下装置（分流弁４）を含む。
【００８１】
図５（ａ）において、第１ＥＲＤは、圧力変換装置（ＰＸ）５である。図５（ｂ）において、第１ＥＲＤは、ターボチャージャー６である。図５（ｃ）において、第１ＥＲＤは、高圧ポンプ３１の駆動軸と同軸上に結合された水車７である。
【００８２】
実施形態１と同様に、このような第１ＥＲＤによって、濃縮液のエネルギー（第１エネルギー）を回収して、対象液へ伝達することで、高圧ポンプ３１の消費動力を低減させることが可能となる。
【００８３】
なお、上記の膜分離装置が圧力低下装置（分流弁４）を用いていることにより、ＲＯモジュール２から排出される濃縮原液の持つ圧力を利用して、膜分離装置において第１室に流す対象液と第２室に流す対象液との間で圧力差を生じさせることができる。
【００８４】
〔実施形態３〕
図６は、実施形態３の造水システムを示す模式図である。
【００８５】
本実施形態では、圧力低下装置において、所定の圧力を有する対象液のエネルギーである第２エネルギーが回収される。すなわち、圧力低下装置としてＥＲＤが用いられている。本実施形態では、第２エネルギーは、原液に伝達され、原液が昇圧される。
【００８６】
図６（ａ）に示される膜分離装置において、第１ＥＲＤは、圧力変換装置（ＰＸ）５である。また、圧力低下装置は、ターボチャージャー６であり、これにより第２エネルギーが回収される。なお、ターボチャージャー６によって対象液（濃縮原液）の圧力は失われるため、ターボチャージャー６（タービン６ａ）を通過した後の対象液は、ポンプ３０ｂによって半透膜モジュール１の第２室１２に送られる。
【００８７】
図６（ｂ）に示される膜分離装置は、圧力低下装置が、高圧ポンプ３１の駆動軸と同軸上に結合された水車７である点のみが、図６（ａ）とは異なる。
【００８８】
本実施形態においては、第１エネルギーだけでなく、第２エネルギーも回収することにより、エネルギー回収効率を向上させ、消費電力の削減効果を大きくすることができる。
【００８９】
なお、図４は、従来の造水システムを示す模式図である。上記の膜分離装置（ブラインコンセントレーション：ＢＣ）の上流にＲＯモジュール２を備える造水システムにおいて、ＲＯモジュール２の第１室２１内から排出される対象液の圧力と、第１室２１に供給される対象液の圧力との差は、例えば５０ｋＰａ以下であり、第１室２１内から排出される対象液も高い圧力エネルギーを有している。このため、ＲＯモジュール２の第１室２１内から排出される濃縮された原液（濃縮原液）からエネルギーを回収することで、さらにエネルギー効率を向上させる余地があった。
【００９０】
また、上流のＲＯモジュール２から排出される濃縮原液（対象液）は、例えば、６〜８ＭＰａの圧力で半透膜モジュール１の第１室１１に供給され、分流弁によって例えば３ＭＰａ以下の圧力に減圧された対象液が半透膜モジュール１の第２室１２に供給される。本実施形態においては、この分流弁によって低下する分に相当する対象液の圧力エネルギーを有効活用することができる。
【００９１】
〔実施形態４〕
図７は、実施形態４の造水システムを示す模式図である。
【００９２】
図７（ａ）および図７（ｂ）に示される膜分離装置は、第１ＥＲＤを備えていない点のみが、図６（ａ）および図６（ｂ）とは異なる。
【００９３】
本実施形態においては、第１エネルギー（濃縮液のエネルギー）の回収は行われず、第２エネルギー（濃縮原液のエネルギー）のみが回収される。このように、第２エネルギーだけを回収する場合でも、ブラインコンセントレーション（上記の膜分離装置）を用いる場合において、さらに必要なエネルギーを削減し、エネルギー効率を高めることができる。
【００９４】
〔実施形態５〕
図８は、実施形態５の造水システムを示す模式図である。
【００９５】
図８（ａ）に示される造水システムにおいては、ＲＯモジュール２から排出される濃縮原液のエネルギーを回収するためのＥＲＤとして、圧力変換装置５が設けられている。それ以外の点は、図５（ｂ）と同様である。圧力低下装置（分流弁４）でのエネルギー回収は行わない。
【００９６】
ここで、図８（ａ）に示されるように、ＲＯモジュール２と半透膜モジュール１とを接続する流路の途中に、濃縮原液を一時的に貯留するタンク９を設けてもよい。タンク９を設けることで、第１ＥＲＤと第２ＥＲＤとの間での調整が容易になり、造水システムの制御が容易になる。
【００９７】
図８（ｂ）に示される膜分離装置は、圧力低下装置が、高圧ポンプ３１の駆動軸と同軸上に結合された水車７である点のみが、図８（ａ）とは異なる。
【００９８】
本実施形態においては、さらにＲＯモジュール２から排出される濃縮原液のエネルギーを回収することで、造水システムのエネルギー効率をさらに高めることができる。
【００９９】
〔実施形態６〕
図９は、実施形態６の造水システムを示す模式図である。
【０１００】
図９（ａ）に示される造水システムにおいて、第１ＥＲＤは、圧力変換装置５２であり、圧力低下装置は、ターボチャージャー６であり、所定の圧力を有する対象液のエネルギー（第２エネルギー）を回収するＥＲＤを兼ねている。さらに、ＲＯモジュール２から排出された濃縮原液のエネルギーを回収するためのＥＲＤとして圧力変換装置５１が設けられている。それ以外の点は、図８（ａ）と同様である。
【０１０１】
図９（ｂ）に示される膜分離装置は、圧力低下装置が、高圧ポンプ３１の駆動軸と同軸上に結合された水車７である点のみが、図９（ａ）とは異なる。
【０１０２】
本実施形態においては、３つのエネルギー回収装置（ＥＲＤ）を用いることにより、造水システムのエネルギー効率をさらに高めることができる。
【０１０３】
＜造水方法＞
本発明は、原液から淡水を生産する造水方法にも関する。
【０１０４】
本実施形態の造水方法は、少なくとも昇圧工程と、逆浸透工程と、上記（９）に記載の膜分離方法と、を備える。
【０１０５】
昇圧工程では、原液を所定の圧力に昇圧して逆浸透モジュールに供給する。
逆浸透工程では、逆浸透モジュールを用いて、所定の圧力に昇圧された原液から逆浸透膜を介して淡水を分離および回収し、濃縮された原液である濃縮原液を排出する。
【０１０６】
膜分離方法に供される対象液は、逆浸透工程で得られた濃縮原液である。
今回開示された実施形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１０７】
１  半透膜モジュール、１０  半透膜、１１  第１室、１２  第２室、２  逆浸透（ＲＯ）モジュール、２０  逆浸透（ＲＯ）膜、２１  第１室、２２  第２室、３０，３０ａ，３０ｂ  ポンプ、３１  高圧ポンプ、３２  ブースターポンプ、４  分流弁、５，５１，５２  圧力変換装置、６  ターボチャージャー、６ａ，６ｂ  タービン、７  水車、９  タンク。
【図１】
2020027056.tif 000003
【図２】
2020027056.tif 000004
【図３】
2020027056.tif 000005
【図４】
2020027056.tif 000006
【図５】
2020027056.tif 000007
【図６】
2020027056.tif 000008
【図７】
2020027056.tif 000009
【図８】
2020027056.tif 000010
【図９】
2020027056.tif 000011
【国際調査報告】
2020027056.tif 000012
2020027056.tif 000013
2020027056.tif 000014
2020027056.tif 000015